(57)【要約】【解決手段】内燃機関（１０）を制御する方法は、圧力センサ（５６、５８）によってシリンダ内の圧力を決定するステップを含む。この圧力センサは、熱力学的サイクルの特性を示すピストン（１４）の特定の位置においてサンプリングする。エンジン（１００）は、対応するピストン位置におけるシリンダ圧力のシリーズに基いて、リアルタイムで制御され、動作条件が診断される。【選択図】図１
2004515685.tif 000002
【特許請求の範囲】
【請求項１】
シリンダンを形成するエンジンブロックと上記シリンダ内に受け入れられるピストンとを有する内燃機関の制御方法において、
上記サイクル内のピストンの位置を決定するステップと、
上記ピストンが上記決定された位置にあるときの上記シリンダ内の圧力を、上記シリンダに配置された圧力センサによって決定するステップと、
シリンダ圧力及びそれに対応するピストン位置のシリーズに基いてリアルタイムで上記エンジンを制御するステップと、
を有することを特徴とする方法。
【請求項２】
上記エンジンがディーゼルエンジンである請求項１記載の方法。
【請求項３】
上記エンジンは、吸気行程、圧縮行程、パワー行程、排気行程を含む４ステップサイクルで動作する請求項１記載の方法。
【請求項４】
更に、上記圧縮行程上の第１、第２、第３のポイントで上記サイクル内のピストンの位置を決定するステップと、
上記圧縮行程上の第１、第２、第３のポイントでの上記シリンダ内の圧力を、上記圧力センサを用いて決定するステップと、
上記圧縮行程上の第１、第２、第３のポイントでの上記シリンダ圧力及びそれに対応するピストン位置に基いて、圧縮行程のリニアステータスを決定するステップと、
を有する請求項３記載の方法。
【請求項５】
更に、上記圧縮行程上の複数のポイント及び上記パワー行程上の複数のポイントで、上記サイクル内のピストンの位置を決定するステップと、
上記圧縮行程上の複数のポイント及び上記パワー行程上の複数のポイントでの上記シリンダ内の圧力を、上記圧力センサを用いて決定するステップと、
上記圧縮行程上の複数のポイント及び上記パワー行程上の複数のポイントでの上記シリンダ圧力及びそれに対応するピストン位置に基いて、正味仕事量を決定するステップと、
を有する請求項３記載の方法。
【請求項６】
上記シリンダについてのピークシリンダ圧力を決定するステップを更に有する請求項３の方法。
【請求項７】
上記エンジンは吸気圧力センサを有し、上記方法は、更に、
上記吸気行程上のポイントで上記サイクル内のピストンの位置を決定するステップと、
上記吸気行程上のポイントでの上記シリンダ内の圧力を、上記圧力センサを用いて決定するステップと、
上記吸気圧力センサから上記吸気圧力を決定する行程と、
上記吸気圧力センサからの吸気圧力に基いて、上記シリンダ圧力センサのオフセットを校正するステップと、
を有する請求項３記載の方法。
【請求項８】
更に、上記圧縮行程上の複数のポイントで上記サイクル内のピストンの位置を決定するステップと、
上記圧縮行程上の複数のポイントでの上記シリンダ内の圧力を、上記圧力センサを用いて決定するステップと、
上記複数のポイントでの上記位置及び圧力に基いて、上記圧縮行程の傾きを決定するステップと、
上記圧縮行程の決定された傾きと、上記エンジンサイクルの熱力学的特性に基いて予め決定された圧縮行程の傾きとに基いて、シリンダ圧力センサのゲインを校正するステップと、
を有する請求項７記載の方法。
【請求項９】
上記圧力センサは対数出力を有する請求項１記載の方法。
【請求項１０】
複数のシリンダを形成するエンジンブロックと、上記シリンダそれぞれ内に一つずつ受け入れられる複数のピストンとを有する内燃機関の制御方法において、
上記サイクル内の各ピストンの位置を決定するステップと、
対応するピストンが上記決定された位置にあるときの各シリンダ内の圧力を決定するステップと、
上記複数のシリンダ及び対応する複数のピストンについて、シリンダ圧力及びそれに対応するピストン位置のシリーズに基いてリアルタイムで上記エンジンを制御するステップと、
を有することを特徴とする方法。
【請求項１１】
上記エンジンがディーゼルエンジンである請求項１０記載の方法。
【請求項１２】
上記エンジンは、吸気行程、圧縮行程、パワー行程、排気行程を含む４ステップサイクルで動作する請求項１０記載の方法。
【請求項１３】
更に、上記圧縮行程上の第１、第２、第３のポイントで上記サイクル内の各ピストンの位置を決定するステップと、
対応するピストンについての上記圧縮行程上の第１、第２、第３のポイントでの各シリンダ内の圧力を決定するステップと、
上記圧縮行程上の第１、第２、第３のポイントでの上記シリンダ圧力及びそれに対応するピストン位置に基いて、各ピストンについて圧縮行程のリニアステータスを決定するステップと、
を有する請求項１２記載の方法。
【請求項１４】
更に、上記圧縮行程上の複数のポイント及び上記パワー行程上の複数のポイントで、上記サイクル内の各ピストンの位置を決定するステップと、
上記圧縮行程上の複数のポイント及び上記パワー行程上の複数のポイントでの各シリンダ内の圧力を決定するステップと、
対応するピストンについて、上記圧縮行程上の複数のポイント及び上記パワー行程上の複数のポイントでの上記シリンダ圧力及びそれに対応するピストン位置に基いて、各ピストンについての正味仕事量を決定するステップと、
を有する請求項１２記載の方法。
【請求項１５】
更に、シリンダについてのピークシリンダ圧力を決定するステップを有する請求項１２記載の方法。
【請求項１６】
上記エンジンは吸気圧力センサを有し、上記方法は、更に、
上記吸気行程上のポイントで上記サイクル内の各ピストンの位置を決定するステップと、
対応するピストンについて、上記吸気行程上のポイントでの上記各シリンダ内の圧力を、上記圧力センサを用いて決定するステップと、
上記吸気圧力センサから上記吸気圧力を決定する行程と、
上記吸気圧力センサからの吸気圧力に基いて、上記各シリンダについての圧力測定のオフセットを校正するステップと、
を有する請求項１２記載の方法。
【請求項１７】
更に、上記圧縮行程上の複数のポイントで上記サイクル内の各ピストンの位置を決定するステップと、
対応するピストンについて、上記圧縮行程上の複数のポイントでの上記各シリンダ内の圧力を決定するステップと、
上記複数のポイントでの上記位置及び圧力に基いて、上記圧縮行程の傾きを決定するステップと、
各シリンダについて、上記エンジンサイクルの圧縮行程の上記決定された傾きと、上記エンジンサイクルの熱力学的特性に基いて予め決定された圧縮行程の傾きとに基いて、圧力測定のゲインを校正するステップと、
を有する請求項１６記載の方法。
【請求項１８】
各シリンダについての上記圧力は、対数出力を有する圧力センサによって測定される請求項１２記載の方法。
【請求項１９】
更に、対応するピストンについての上記圧縮行程上の複数のポイント及び上記パワー行程上の複数のポイントで、上記サイクル内の各ピストンの位置を決定するステップと、
対応するピストンについて、上記圧縮行程上の複数のポイント及び上記パワー行程上の複数のポイントでの各シリンダ内の圧力を決定するステップと、
上記圧縮行程上の複数のポイント及び上記パワー行程上の複数のポイントでの上記シリンダ圧力及びそれに対応するピストン位置に基いて、各ピストンについての正味仕事量を決定するステップと、
各ピストンについて、各サイクルについての上記正味仕事量に基いて、各エンジンシリンダからのパワーをバランスさせるように上記エンジンを制御するステップと、
を有する請求項１２記載の方法。
【請求項２０】
複数のシリンダを形成する一つのエンジンブロックと、
各シリンダ内に一つずつ受け入れられる複数のピストンと、
シリンダ圧力を検出するように各シリンダに一つずつ取り付けられた複数の圧力センサと、
エンコーダを具備し、上記複数のピストンを駆動する一つのクランクシャフトと、
各ピストンのそれぞれのサイクルでの位置を決定できるように、上記クランクシャフトの位置を検出するクランクシャフトセンサと、
各シリンダ内の圧力及びそれに対応するピストンの各サイクルでの位置を決定するように構成され、シリンダ圧力及びそれに対応するピストン位置のシリーズに基いて、リアルタイムで上記エンジンを制御するように構成された制御器と、
を有することを特徴とする内燃機関。
【発明の詳細な説明】
【０００１】
【技術分野】
本発明は、内燃機関（エンジン）を制御する方法に関する。
【０００２】
【背景技術】
燃料噴射システムの制御において、従来の実用化された技術は、エンジン及びそれに関連するシステムの種々の機能を制御するために、揮発性及び不揮発性メモリ、入出力ドライバ回路、及び、記憶された命令群を実行できるプロセッサを有する電子制御ユニットを利用する。一つの特定の電子制御ユニットは、多数のセンサ、アクチュエータ及びその他の、種々の機能を制御するために必要な電子制御ユニットと連絡する。ここでいう種々の機能には、燃料配給、トランスミッション制御又はその他の多くのものを含みうる。
【０００３】
燃料噴射の制御のために電子制御弁を利用する燃料噴射器が広く使用されてきている。これは、電子制御弁によって、噴射イベントを精確に制御できるからである。動作において、電子制御ユニットは、現在のエンジン条件に応じて、制御弁のオン即ち励起の時刻を決定する。制御弁の励起によって、スプレイチップニードルのリフティングに導かれる水力学的イベントのカスケードが引き起こされ、これによって燃料噴射が起こる。
燃料経済、排出制御等のエンジン特性に対する要求が高まるのに伴い、既存の制御技術よりも精度の高い内燃機関制御方法が必要とされている。
【０００４】
【発明の開示】
従って、本発明の一つの目的は、エンジンサイクル中に得られたシリンダ圧力計測値に基いてリアルタイムで内燃機関を制御する方法を提供することにある。
本発明の上記目的及びその他の目的並びに特徴を実現する上で、シリンダを形成するエンジンブロックと、シリンダ内に受け入れられるピストンとを有する内燃機関の制御方法が提供される。この方法は、サイクル内のピストンの位置を決定するステップと、ピストンが上記決定された位置にあるときのシリンダ内の圧力を、シリンダ内に配置された圧力センサによって決定するステップと、を有する。この方法は更に、シリンダ圧力及びそれに対応するピストン位置とに基いて、リアルタイムでエンジンを制御するステップを有する。
【０００５】
本発明の実施形態は、ディーゼルエンジンに適している。更に、好ましい実施形態で、エンジンは、吸気行程、圧縮行程、パワー行程、排気行程を含む４行程サイクルで動作する。
一つの実施形態で、この方法は、サイクルで圧縮行程上の第１、第２、第３のポイントでのピストンの位置を決定するステップを更に有する。圧縮行程上の第１、第２、第３のポイントについて、圧力センサによりシリンダ内圧力が決定される。この方法は、圧縮行程上の第１、第２、第３のポイントについて、シリンダ圧力及びそれに対応するピストン位置に基いて、圧縮行程のリニアステータスが決定される。好ましいことには、圧縮行程において、体積の対数に対する圧力の対数が直線的に増大することは、漏洩が最小限であることを意味する。
【０００６】
一つの実施形態で、この方法は、圧縮行程上の複数のポイントとパワー行程上の複数のポイントで、サイクル内のピストンの位置を決定するステップを更に有する。圧縮行程上の複数のポイントとパワー行程上の複数のポイントについて、シリンダ内の圧力が、圧力センサを用いて決定される。この方法は、圧縮行程上の複数のポイントとパワー行程上の複数のポイントについてシリンダ圧力及びそれに対応するピストン位置に基いて、サイクルについての正味仕事量を決定するステップを更に有する。好ましいことには、多シリンダエンジンにおいて、各シリンダから１サイクルの間の正味仕事量を時間をかけて（ｏｖｅｒ ｔｉｍｅ）測定し、シリンダごとの変動する仕事量を、例えば各シリンダの燃料パルス幅を調節することによって、エンジンは、多シリンダ内のパワー出力をバランスさせるようにリアルタイムで制御されうる。
【０００７】
一部の実施形態では、この方法は、そのシリンダについて、ピークシリンダ圧力を決定するステップを更に有する。更に、一部の実施形態では、エンジンは、吸気圧力センサを有し、この方法は、吸気行程上の１ポイントで、サイクル内のピストンの位置を決定するステップを含む。この方法は、吸気行程のポイントについて、圧力センサを用いてシリンダ内の圧力を決定するステップと、吸気圧力センサから吸気圧力を決定するステップとを更に有する。シリンダ圧力センサのオフセット又はゼロドリフトは、吸気圧力センサからの吸気圧力に基いて校正される。
【０００８】
本発明の好ましい実施形態では、シリンダ内の圧力センサは対数出力を有する。対数出力が好ましいのは、エンジンサイクルの間、圧力の対数が、体積の対数に対して直線的に変化するからである。他の例として、直線的出力のセンサを使用してもよいが、直線的出力のセンサを使用する場合は、そのセンサについて、より大きな出力範囲とより高い精度が要求される。例えば、センサがアナログ出力を有する場合、センサ信号をエンジン制御器に入力するために、対数出力のセンサは僅かに１０ビットの変換器を必要とするだけであるが、直線的出力のセンサの場合には、少なくとも１６ビットのアナログ・デジタル変換器が必要になるだろう。
【０００９】
更に、本発明を実行するに当り、複数のシリンダを形成する一つのエンジンブロックと複数のピストンとを有する内燃機関を制御する方法が提供される。ここで各ピストンは、それぞれに対応する一つのシリンダに受け入れられる。本方法は、サイクル内の各ピストンの位置を決定するステップと、対応するピストンが決定された位置にあるときに、各シリンダ内の圧力を測定するステップと、を有する。本方法は、複数のシリンダ及びそれらに対応する複数のピストンについての、シリンダ圧力及びそれに対応するピストン位置とのシリーズに基いて、リアルタイムでエンジンを制御するステップを更に有する。
【００１０】
更に、本発明を実行するに当り、内燃機関が提供される。この内燃機関は、複数のシリンダを形成する一つのエンジンブロックと、各シリンダごとに一つずつ受け入れられるピストンと、複数の圧力センサとを有する。この圧力センサは、シリンダ圧力を検出するように各シリンダに配置されている。クランクシャフトはエンコーダを有し、ピストンを駆動する。クランクシャフトセンサは、クランクシャフトの位置を検出し、それによって、各ピストンのそれぞれのサイクルにおける位置の決定が可能になる。エンジンは更に、各シリンダ内の圧力と、対応する各ピストンのサイクルにおける位置とを決定するように構成された制御器を有する。制御器は更に、シリンダ圧力及びそれに対応するピストン位置のシリーズに基いてリアルタイムでエンジンを制御するように構成されている。
【００１１】
本発明の実施形態に関連する利点は多数ある。例えば、本発明の実施形態によれば、種々のエンジンセンサによって検出されたシリンダ圧力及びそれに対応するピストン位置のシリーズに基いて、エンジンの燃焼プロセス及び４行程サイクルについて、リアルタイムベースのフィードバック制御が可能である。ここで「リアルタイムで」とは、ピストンの一つ又は複数のサイクルで得られた複数の測定値がその後に続くサイクルを制御するために利用されること（これは、制御フィードバックと呼ばれることもある）、及び／又は、好ましくない状態を操作員に警告し且つ／又は後の診断のためにイベントを記録することを意味する。本発明の説明の中で、「リアルタイムで」という表現は、後に、又は他のエンジンで利用するために、学術のため又は研究のためにデータを収集することとは区別される。更に本発明は、最大シリンダ圧力のみを検出することとは全く異なる。例えば、圧力センサを各シリンダ内に配置して、圧力測定がクランクシャフト位置に対応するように、クランクシャフトセンサがトリガを掛けるようにしてもよい。好ましいことには、リアルタイム制御が、正確で精密な排出制御及び燃料経済を達成するために利用できる。本発明の実施形態は、噴射器の可変性（ｖａｒｉａｂｉｌｉｔｉｅｓ）、シリンダ又は噴射器の磨耗及び経時変化を含むシリンダ可変性を補償するため、又、ターボチャージャ圧縮機ホイールが汚れているとき等に、リアルタイム制御を利用してもよい。本発明のある種の実施形態によって提供されるリアルタイム制御によれば、過渡的なエンジン状態のときの排出の制御が可能になるような精度で、複雑で高度な制御が可能になる。本発明の実施形態は、各シリンダでの圧力センサだけでなく、クランクシャフトエンコーダ及びピエゾ抵抗要素等のセンサを利用することによって実行できる。本発明の実施形態は、具体的に前述した利点のほかに、更なる多くの利点を有する。例えば、損傷が起きる前にシリンダの故障が診断でき、エンジンの動作条件を変更することが可能である。
本発明の、上記の特徴や利点及びその他の特徴や利点は、本発明を実施する上で、添付図面を参照して以下のベストモードの詳細な説明から明らかである。
【００１２】
【最も好ましい発明の実施形態】
図１において、本発明の実施形態全体を符号１０で示している。図示のように、エンジンブロック１２は、ピストン１４を受け入れるシリンダを形成している。ピストン１４はコネクティングロッド１６によってクランクシャフト１８に接続されている。クランクシャフト１８は、既知のように、エンコーダホイール２２を含む。クランクシャフトセンサ２４は、クランクシャフトが回転しているときにエンコーダの位置を検出する。クランクシャフトセンサは、クランクシャフトタイミングに応じた一連のパルスを表す出力を出す。センサ２４の出力は制御器３０で受信される。制御器３０（又は個別の集積回路）はセンサ２４からの信号を復号（デコード）し、これによって制御器３０は、クランクシャフト及びその他のタイミングを取ったエンジン部品の向きを常に知ることができる。図では一つのシリンダだけが示されているが、もちろん、一つのエンジンが、本発明によって同時に制御されるシリンダをいくつ持っていてもよい。参照の便宜と、本発明の理解を可能にするために、一つのシリンダが示されている。
【００１３】
図示のように、排気弁３２及び吸気弁３４は、それぞれ、カム３６及び３８によって開閉される。これらのカムは、クランクシャフト１８によって駆動され、タイミングが取られる。燃料噴射器４０は、適当な時刻に燃料を噴射するように、制御器３０によって制御される。
【００１４】
本発明の実施形態は、圧縮点火のディーゼルエンジンに適していることが理解できる。しかし、本発明の実施形態は特定のサイクルに限られるものではなく、本発明によって、圧縮点火でも火花点火エンジンでも制御可能である。プロット６０は、標準的なディーゼルサイクルを行なっているシリンダを示している。しかし、本発明の他の実施形態では、オットーサイクル又はその他の任意のサイクルにおけるエンジンを制御することも可能である。引き続き図１において、ディーゼルサイクル６０は、吸気行程６２と、圧縮行程６４と、パワー行程６６と排気行程とを有する。パワー行程６６は、比較的一定な圧力の部分６８を含み、この間に燃料の燃焼が行なわれる。ここでも、サイクルは図示のものとは著しく異なってもよく、本発明はどの特定のサイクルに限定されるものではなく、単にディーゼルサイクルで例示しているだけである。本発明によれば、サイクル上の種々のポイントで、シリンダ圧力がセンサ５６によって計測され、対応するシリンダ体積が、クランクシャフト位置に基いてエンジン制御器によって決定される。このように制御器３０は、エンジンサイクルを知っていて、性能向上のために、サイクルに基く燃料噴射制御ストラテジへの適合に向けて調整することができる。
【００１５】
例えば、図示のように、圧縮行程のリニアステータスを決定するために、圧縮行程上のポイント７２、７４、７６が計測される。即ち、適切な圧縮の間、圧力の対数は体積の対数に対して直線的に変化するので、エンジン制御器は、サンプリングポイント７２、７４、７６によって、圧縮が適切に（著しい漏洩が無く）行なわれているかどうかを判定できる。圧縮行程が直線的（対数目盛で）でない場合は、シリンダへの燃料供給がうまく行かず、故障が記録されうる。
【００１６】
更に、本発明によれば、特定のエンコーダ位置で又はピーク保持（ｐｅａｋ−ａｎｄ−ｈｏｌｄ）最大値として、ポイント７８がサンプリングされ、それによって制御器３０は、サイクル中のシリンダ内ピーク圧力を知ることができる。ここで、プロット６０のサイクル上のポイントのサンプリングを指定することとして使用されるサンプリングという言葉は、その圧力が圧力センサ５６によって測定され、又そのときのシリンダの体積が、クランクシャフトセンサ２４からの入力に基いて制御器３０によって決定されることを意味するものと解される。
【００１７】
更に、圧縮行程に沿うサンプリングポイントに加えて、パワー行程に沿ってポイント８０、８２をサンプリングしてもよい。圧縮行程上の複数のポイントとパワー行程上の複数のポイントのサンプリングにより、制御器３０は、シリンダによって生成される正味仕事量（パワー行程仕事量から圧縮行程仕事量を引いた差）を決定することができる。更に好ましくは、制御器３０は、シリンダ当りの仕事量を均等化するために多シリンダエンジンの各シリンダへの噴射器４０の燃料パルス幅をリアルタイムで調整することもできる。
【００１８】
更に、本発明によれば、ゼロドリフトに対する補償をするために、圧力センサ５６のオフセットを独立の圧力センサによって校正することもできる。例えば、吸気マニホルド圧力を吸気マニホルド圧力センサ５８によって測定することができる。センサ５６は、吸気行程上のポイント８６で圧力をサンプリングでき、それによって、圧力センサ５６による測定の校正を、制御器３０が行なうことができる。他の例として、排気マニホルド圧力センサを利用して、排気行程上のサンプリングポイント８４によってセンサ５６の校正を行なうこともできる。ターボ給気エンジンには吸気圧力センサが好ましいが、ターボ給気でないエンジンでは排気圧力センサを使用することもできる。
【００１９】
本発明によれば、クランクシャフトセンサと各シリンダ内の圧力センサとを利用することによって、燃料噴射のリアルタイム閉ループ制御を実現することができる。多くの利点があるが、例えば、排出及び燃料経済を正確且つ精密に制御できることに加えて、エンジンの変化に対する補償ができ、シリンダ当りの仕事量を均等化することもできる。
【００２０】
次に、図２には、内燃機関の機能強化された燃料噴射器のためのシステムを示す。全体を符号１１０で示すシステムは、エンジン１１２を含み、エンジン１１２は複数のシリンダを有し、各シリンダは燃料噴射器１１４からの供給を受ける。好ましい実施形態では、エンジン１１２は、シリンダ数が、例えば４、６、８、１２、１６、２４あるいはその他の数のディーゼル燃料エンジン等の圧縮点火内燃機関である。燃料噴射器１１４は、よく知られているように燃料供給１１６から燃料を受け入れることが示されている。
【００２１】
システム１１０は更に、エンジン１１２、車両トランスミッション（図示せず）、及びその他の車両のコンポーネントの動作条件やパラメータに応じた指示を示す信号を生成するための種々のセンサ１２０を含んでもよい。センサ１２０は、入力ポート１２４を通じて制御器１２２と電気的につながっている。好ましくは、制御器１２２は、データ・制御バス１３０を通じて種々のコンピュータ読取り可能記憶媒体１２８につながったマイクロプロセッサ１２６を含む。コンピュータ読取り可能記憶媒体１２８は、読取り専用メモリ（ＲＯＭ）１３２、ランダムアクセスメモリ（ＲＡＭ）１３４、不揮発性ＲＡＭ等のキープアライブメモリ（ＫＡＭ）１３６としての機能を持つ多数の既知のデバイスのうちのどれを含んでいてもよい。コンピュータ読取り可能記憶媒体１２８は、制御器１２２等のコンピュータによって実行されうる命令を表すデータを記憶できる多数の既知の物理的デバイスのどれでもよい。既知のデバイスには、ＰＲＯＭ、ＥＰＲＯＭ、ＥＥＰＲＯＭ、フラッシュメモリ等や、一時的又は恒久的にデータを記憶できる磁気的媒体、光学的媒体やそれらの組合せが含まれるが、これらに限定されるわけではない。
【００２２】
コンピュータ読取り可能記憶媒体１２８は、種々のプログラム命令、ソフトウェア及び、エンジン１１２や車両のトランスミッション等の車両の種々のシステムやサブシステムの制御を行なえる制御ロジックを含む。制御器１２２は、センサ１２０から入力ポート１２４を通じて信号を受信して、出力信号を生成する。この出力信号は、出力ポート１３８を通じて、種々のアクチュエータ及び／又はコンポーネントへ提供される。信号は更に、表示装置１４０にも提供されうる。表示装置には、システムの操作に関する情報を車両の運転者に伝えるためのライト１４２等の種々のインジケータが含まれる。
【００２３】
データ、診断及びプログラミングインタフェース１４４は、プラグ１４６を介して制御器１２２に選択的に接続されて、それらの間の情報交換に供されてもよい。インタフェース１４４は、コンフィギュレーション設定、調整係数ルックアップテーブルを含む校正変数、制御ロジック等の、コンピュータ読取り可能記憶媒体１２８内の値を変更するのに使用できる。
【００２４】
動作において、制御器１２２は、センサ１２０から信号を受信して、ハードウェア及び／又はソフトウェアに埋め込まれた制御ロジックを実行し、それによって、エンジンサイクルの間、シリンダ圧力と体積フィードバックとに基いて燃料噴射をリアルタイムで制御できる。好ましい実施形態では、制御器１２２は、米国ミシガン州デトロイト市のデトロイトディーゼル社（Ｄｅｔｒｏｉｔ Ｄｉｅｓｅｌ Ｃｏｒｐｏｒａｔｉｏｎ）から購入可能なＤＤＥＣ制御器である。
【００２５】
当業者には理解できるであろうが、制御ロジックは、ハードウェア、ファームウェア、ソフトウェア、又はこれらの組合せの何れでも実行可能である。好ましくは、上記の種々の機能は、ＤＤＥＣ制御器等のプログラム可能なマイクロプロセッサで実行されるが、それらの機能のうちで一つ又は複数が専用の電気回路、電子回路又は集積回路によって実行されてもよい。当業者にはわかるであろうが、制御ロジックは、多くの既知のプログラミング技術及び処理技術又はストラテジの何れを使用して実行されてもよい。又、ここに便宜上示された手順即ちシーケンスに限定されるものではない。例えば、車両のエンジンやトランスミッションの制御等のリアルタイム制御の用途には通常、割込み即ちイベントドリブンの処理が採用される。同様に、本発明の目的、特徴、効果を達成するために、並行処理即ちマルチタスキングのシステム及び方法を使用できる。本発明は、ここに示した制御ロジックを実行するために使用される特定の言語、動作システム又はプロセッサに依存しない。
【００２６】
図３〜６は、本発明の種々の方法を示す。図３において、ブロック１５２で、エンジンサイクル内のピストンの位置が決定される。ブロック１５４で、（ブロック１５２で決定された位置に対する）シリンダ圧力が決定される。ブロック１５６で、シリンダ圧力とこれに対応するピストン位置のシリーズに基いて、エンジンがリアルタイムで制御される。
【００２７】
図４において、圧縮行程上の３ポイントについてピストン位置とシリンダ圧力が決定される。ブロック１６４で、圧縮行程のリニアステータスが決定される。即ち、正常な圧縮の間、体積の対数に対する圧力の対数は、直線的に変化するので、圧縮のリニアステータスは、漏洩の有無を示しうる。即ち、非直線的な圧力低下は、故障かもしれない漏洩シリンダを示している。
【００２８】
図５において、ブロック１７２で、圧縮行程上の複数のポイントについて、ピストン位置とシリンダ圧力が決定され、好ましくは、ポイント７８でのピーク圧力、又はその推測値が決定される。ブロック１７４で、パワー行程上の複数のポイントでのピストン位置とシリンダ圧力が決定される。ブロック１７６で、そのシリンダについての正味仕事量が決定される。ブロック１７８で、多シリンダエンジンの各シリンダについてシリンダパワー出力がバランスされる。
【００２９】
図６には、シリンダ圧力センサを校正する方法が示されている。ブロック１８２で、吸気（又は排気）行程上の一つのポイントについて、ピストン位置及びシリンダ圧力が決定される。ブロック１８４で、吸気（又は排気）センサを用いて吸気（又は排気）マニホルド圧力が決定される。ブロック１８６で、ゼロドリフトの補償をするべく、圧力センサのオフセットが校正される。即ち、センサのオフセットを校正するために、吸気マニホルド圧力センサが、吸気行程上のサンプルポイントと共に利用されうる。又は、センサのオフセットを校正するために、排気マニホルド圧力センサが、排気行程上のサンプルポイントと共に利用されうる。
【００３０】
更に、シリンダ内の圧力センサのゲインを校正するために、圧縮行程上の複数のポイントを利用してもよいことが理解できる。即ち、本発明の実施形態は、センサのオフセット又はゼロドリフトに加えて、センサゲインの校正もできる。特に、センサのゲインは、シリンダでの重大な漏洩がないときに校正できる。シリンダが漏れていないとき、圧縮行程上でサンプリングしたポイントは、対数目盛で直線的であって、シリンダ内空気の熱力学的特性によって、既知の特定の値の傾きを有する。そして、好ましくは吸気圧力センサによって決定されるオフセットを有する。オフセットを考慮したときに、圧縮行程上の複数のサンプルポイントが対数目盛で直線的でない場合は、シリンダに漏れがあるか、センサが故障しているかである。一方、センサが作動していて、圧縮が対数目盛で直線的であるときは、圧縮行程の傾きを、圧縮行程上の複数のサンプルポイントから決定することができる。ここで決定された傾きは、熱力学的特性に基いて予め決定された圧縮行程の傾きと共に、センサゲインの校正に使用することができる。即ち、本発明の実施形態は、好ましくは、圧縮行程の決定された傾きに基いて（圧縮行程上の複数のポイントについての位置及び圧力に基いて）、更に、圧縮行程の予め決定された傾きに基いて、シリンダ圧力センサのゲイン校正を行なう。ここで、予め決定される傾きは、エンジンサイクルの熱力学的特性に基くものである。
【００３１】
発明の実施形態を図示し説明したが、これらの実施形態は、本発明のすべての可能な形態を図示し説明することを意図していない。この明細書で使用される言葉は限定するためでなくて説明するためのものである。又、本発明の概念や範囲から逸脱することなしに種々の変更が可能であることが理解できる。
【図面の簡単な説明】
【図１】
本発明によるピストン・シリンダ組立体と、それに対応するシリンダサイクルに対する圧力（対数表示）対体積（対数表示）プロットを、制御器、シリンダ圧力センサ及び吸気マニホルド圧力センサと共に示す模式図である。
【図２】
本発明によるエンジン及びそれに関連するエンジン制御システムの模式図である。
【図３】
内燃機関を制御するための本発明の方法を示すブロック図である。
【図４】
圧縮行程のリニアステータスを決定する本発明の方法を示すブロック図である。
【図５】
シリンダパワー出力をバランスさせる本発明の方法を示すブロック図である。
【図６】
シリンダ圧力センサを校正する本発明の方法を示すブロック図である。
【図１】
2004515685.tif 000003
【図２】
2004515685.tif 000004
【図３】
2004515685.tif 000005
【図４】
2004515685.tif 000006
【図５】
2004515685.tif 000007
【図６】
2004515685.tif 000008
【国際公開パンフレット】
2004515685.tif 000009
2004515685.tif 000010
2004515685.tif 000011
2004515685.tif 000012
2004515685.tif 000013
2004515685.tif 000014
2004515685.tif 000015
2004515685.tif 000016
2004515685.tif 000017
2004515685.tif 000018
2004515685.tif 000019
2004515685.tif 000020
2004515685.tif 000021
2004515685.tif 000022
2004515685.tif 000023
2004515685.tif 000024
2004515685.tif 000025
2004515685.tif 000026
2004515685.tif 000027
2004515685.tif 000028
2004515685.tif 000029
2004515685.tif 000030
【国際調査報告】
2004515685.tif 000031
2004515685.tif 000032